(57)【要約】【課題】  センサ機器から直接主装置まで配線を引き回す従来の場合に比べ、工事性が大幅に改善され経済性、保守性に優れた異常音監視機能を有する電話装置を提供する。【解決手段】  異常音監視機能付電話装置２１は、１または複数の異常音を登録する異常音記憶部２５ｂと、登録した異常音を検知する異常音検知部２５ｃと、所定の報知動作を自動的に実行する自動報知部２６を具備し、マイク２７から入力する音信号から異常音記憶部２５ｂに登録されている異常音を異常音検知部２５ｃが検知した時、自動報知部２６は異常音に対応した報知動作を自動的に実行する。【選択図】図２
2008033752.tif 000002
【特許請求の範囲】
【請求項１】
外線または内線に接続される電話装置において、前記電話装置は、１または複数の異常音を登録する異常音記憶手段と、周囲の音を集音する集音手段と、前記集音した音と前記異常音記憶手段に登録されている異常音を比較して異常音を検知する異常音検知手段と、所定の報知動作を自動的に実行する自動報知手段を具備し、前記異常音記憶手段に登録されている異常音を前記異常音検知手段が検知した時、前記自動報知手段は前記異常音に対応した報知動作を自動的に実行することを特徴とする異常音監視機能を有する電話装置。
【請求項２】
請求項１記載において、前記異常音記憶手段は、前記集音手段が集音した報知器等の報知音に対応した音信号を異常音として予め登録することを特徴とする異常音監視機能を有する電話装置。
【請求項３】
請求項１または２記載において、前記自動報知手段は、事前に登録してある報知先の外線または内線の所定の宛先へ、音声メッセージまたは電子メールを自動送出する機能を有し、音声メッセージを送出した場合、前記音声メッセージの送出中または送出後に、所定のハンズフリー通話または音声モニターモードとする機能を有することを特徴とする異常音監視機能を有する電話装置。
【請求項４】
請求項１から３のうちいずれか一つの記載において、前記集音手段および異常音検知手段は、非通話時であっても動作を継続することを特徴とする異常音監視機能を有する電話装置。
【発明の詳細な説明】
【技術分野】
【０００１】
本発明は、異常音監視機能を有する電話装置に関する。
【背景技術】
【０００２】
従来この種の電話装置としては、主装置と複数の内線電話機からなる簡易セキュリティ機能付き電話装置があり、主装置は、外部センサ機器を接続するセンサ機器接続手段と、外部センサ機器により異常を検出した時に自動発信して呼出先応答後に異常を通知するガイダンスを送出する異常時発呼手段を備えている（特許文献１参照）。
【０００３】
またセキュリティシステムとしては、マイクで捉えた音声を予め登録記憶しておき、入力された音声を登録記憶された音声とを比較して一致した際に、緊急通報を行うものがある（特許文献２参照）。
【０００４】
【特許文献１】特開２００４−３２８０５９号公報
【特許文献２】特開２０００−１９６７８２号公報
【発明の開示】
【発明が解決しようとする課題】
【０００５】
簡易セキュリティ機能付き電話装置のセンサ検知手段として、天井や壁に設置された外部センサ機器から電話装置の検知入力端まで配線をする場合、長い距離を引き回すなど工事が大掛かりであり、天井などに設置された外部センサ機器の増設や設置替えの場合、配線のやり直しの手間と時間がかかる等の工事性および保守性が悪い。
【０００６】
また外部センサ機器を無線通信方式のものとして配線をなくして、複数設置する場合でも、電話装置側の検知入力端子回路数が限られるため、電話装置に収容できるセンサ機器数が、収容数を増やすには検知入力回路を持つ入力ユニットを増設する必要があり、ハードウェアの増加を招くこととなる。
【０００７】
さらに外部センサ機器と発音機能装置を組とした報知機器を使用して、多くの箇所に外部センサ機器を配置した場合、各外部センサ機器からの異常検知を報知する範囲が限られ、狭い範囲でしか報知できない。
【０００８】
本発明の目的は、センサ機器から通報機器まで配線を引き回す従来の場合に比べ、工事性が大幅に改善され経済性、保守性に優れた異常音監視機能を有する電話装置を提供することにある。
【課題を解決するための手段】
【０００９】
第１の本発明による異常音監視機能を有する電話装置は、外線または内線に接続される電話装置であり、１または複数の異常音を登録する異常音記憶手段と、周囲の音を集音する集音手段と、前記集音した音と前記異常音記憶手段に登録されている異常音を比較して異常音を検知する異常音検知手段と、所定の報知動作を自動的に実行する自動報知手段を具備し、前記異常音記憶手段に登録されている異常音を前記異常音検知手段が検知した時、前記自動報知手段は前記異常音に対応した報知動作を自動的に実行することを特徴とする。
【００１０】
また第２の本発明による異常音監視機能を有する電話装置は、上記第１の発明の記載において、前記異常音記憶手段は、前記集音手段が集音した報知器等の報知音に対応した音信号を異常音として予め登録することを特徴とする。
【００１１】
また第３の本発明による異常音監視機能を有する電話装置は、上記第１または第２の発明の記載において、前記自動報知手段は、事前に登録してある報知先の外線または内線の所定の宛先へ、音声メッセージまたは電子メールを自動送出する機能を有し、前記音声メッセージを送出中または送出後に、所定のハンズフリー通話または音声モニターモードとすることを特徴とする。
【００１２】
また第４の本発明による異常音監視機能を有する電話装置は、上記第１から上記第３の発明のうちいずれか一つの記載において、前記集音手段および異常音検知手段は、非通話時であっても動作を継続することを特徴とする。
【発明の効果】
【００１３】
本発明によれば、電話装置で直接異常音を集音するので、センサ機器から通報機器まで配線を引き回す従来の場合に比べ、工事性が大幅に改善され経済性、保守性に優れた異常音監視機能を有する電話装置を得ることができる。
【発明を実施するための最良の形態】
【００１４】
以下、本発明による異常音監視機能を有する電話装置の実施の形態を、図面に基づいて説明する。
【００１５】
図１は、本発明による異常音監視機能を有する電話装置（以下、異常音監視機能付電話装置）をボタン電話システムの内線に接続する場合の実施形態の全体構成図である。
【００１６】
図１において、異常音監視機能付電話装置２１は、主装置１０に標準の内線端末（電話機など）２０と共に内線ＩＦ（インターフェース）部１１に収容され、外線ＩＦ（ネットワーク／回線インターフェース）部１２と、内線ＩＦ部１１と外線ＩＦ部１２に接続した交換ＳＷ（スイッチ）部１３を介して、ネットワーク３０に接続される。また、図２の電話装置２１内部のＮＷＩＦ部２２を介して直接ネットワーク３０に接続することも可能である。
【００１７】
異常音を検知すると異常音監視機能付電話装置２１は、主装置１０を介して報知先の外線または内線の警備室３１、警備会社３２、管理者宅３３に接続し、警報メッセージを流す等の所定の報知動作をする。
【００１８】
報知先としては、警備室３１、警備会社３２、管理者宅３３の他に、内線の標準の内線端末（電話機など）２０であってもよい。
【００１９】
異常音監視機能付電話装置２１には検知する異常音として、火災検知器４０に接続された非常ベル４２や侵入センサ４１に接続された警報スピーカ４３などの警報発音が予め登録されている。また、異常音監視機能付電話装置２１は標準の内線端末２０と同一の共有空間に設置される。
【００２０】
異常監視機能付電話装置２１は複数設置可能であり、各場所に設置されている非常ベル４２や警報スピーカ４３の警報発音を検知することができる。
【００２１】
また異常音監視機能付電話装置２１は、通常の電話機として使用可能であると共に、非通話時でも異常音を常時監視する。
【００２２】
図２は、本発明による異常音監視機能を有する電話装置２１の第１の機能ブロック図である。図２において、図１と同一個所に同一符号を付けた。
【００２３】
図２において、異常音監視機能付電話装置２１は、集音のためのマイク２７を内蔵しており、集音した音を音入力処理部２５ａへ入力する。
【００２４】
マイク２７は電話装置制御部２４によりオン、オフの切替が可能で、電話装置制御部２４で警戒モードに設定した時にオン状態となり、非警戒モードに設定した時にオフ状態となる。
【００２５】
マイク２７がオン状態のときに例えば非常ベル４２が作動した場合、非常ベル４２からの警報発音を集音し、音入力処理部２５ａへ送出する。
【００２６】
電話装置制御部２４で警戒モードに設定してマイク２７がオン状態のときは、通話時，非通話時に関係なく、マイク２７で集音した音を音入力処理部２５ａへ送出し続ける。
【００２７】
図２において、異常音監視機能付電話装置２１は、発音拡声のためのスピーカ２８を内蔵している。
【００２８】
スピーカ２８は異常音監視機能付電話装置２１の電話装置制御部２４により鳴動有無の制御が可能で、電話装置制御部２４で警戒モードに設定となっている時に、電話装置制御部２４からの指令により警報鳴動を行う。
【００２９】
図２において、異常音監視機能付電話装置２１は、主装置の内線ＩＦ部１１と伝送回路２３を介してデジタルデータに信号変換した信号で通信を行う。
【００３０】
音処理部２５は、電話装置制御部２４により選択されたマイク２７からの音を入力する音入力処理部２５ａと、１〜複数の異常音を事前に登録する異常音記憶部２５ｂと集音した音のうち事前に登録した異常音と一致する音を異常音として検出する異常音検知部２５ｃを具備する。音処理部２５は、電話装置制御部２４により選択されたマイク２７からの音を入力する音入力処理部２５ａと、１〜複数の異常音を事前に登録する異常音記憶部２５ｂと集音した音のうち事前に登録した異常音と一致する音を異常音として検出する異常音検知部２５ｃを具備する。
【００３１】
自動報知部２６は、異常音検知部２５ｃで検知した異常音から異常音に対応した所定の報知動作を自動的に実行する報知実行部２６ａと、異常音に対応した報知先および報知先に対応した報知方法を登録する報知方法記憶部２６ｂを具備する。
【００３２】
報知実行部２６ａは、異常音検知部２５ｃから異常音検知の通知を受けた時、異常音に対応した報知先および報知先に対応した報知方法を報知方法記憶部２６ｂに登録されているデータから抽出し、電話装置制御部２４へ送出する。
【００３３】
電話装置制御部２４では、自動報知部２６から送出された報知先および報知方法を認識した後、報知先の外線または内線の１または複数の標準の内線端末２０を呼び出し、送出された報知方法で通知する。
【００３４】
図３は、図２の異常音記憶部２５ｂへの異常音の事前設定登録を示すフローチャート図である。
【００３５】
異常音の事前設定登録にあたっては、電話装置制御部２４により、異常音監視機能付電話装置２１のマイク２７をオン状態にしておく。
【００３６】
異常音監視機能付電話装置２１において、所定の操作例えば登録ボタン押して異常音登録用番号を入力することで、異常音監視機能付電話装置の異常音登録モードを設定する（Ｓ３０１）。
【００３７】
異常音監視機能付電話装置２１は、その集音できる各種報知機例えば作動された非常ベル４２からの警報発音をマイク２７で集音し、音処理部２５の音入力処理部２５ａへ入力する（Ｓ３０２）。
【００３８】
音入力処理部２５ａは、入力された音データが所定のレベルで検出されたかを判断し（Ｓ３０３）、所定のレベルで検出された場合に入力された音データを異常音として、警報発音の種別とを対応付けて異常音記憶部２５ｂへ登録する（Ｓ３０４）。
【００３９】
登録が完了したら、電話装置制御部２４は登録完了をスピーカ音２８からの確認音等により通知する（Ｓ３０５）。
【００４０】
このことで、異常音機能付電話装置２１の異常音記憶部２５ｂへの異常音登録を完了する（Ｓ３０６）。
【００４１】
図４は、異常音の登録内容および後述の自動報知の登録内容を示す対応図である。
【００４２】
図２の音声入力処理部２５ａは異常音記憶部２５ｂへ、図４に示す（１）警報発音（Ａ〜Ｚ）と、各警報発音に対応付けた（２）異常音データ（１〜Ｎ）を登録する。
【００４３】
警報発音としては、図１に図示の非常ベル４２や警報スピーカ４３からの警報音の他に、夜間モード、警戒モード時のドアーや窓等の開閉音でもよく、また人の悲鳴であってもよい。
【００４４】
図５は、図２の報知方法記憶部２６ｂへの自動報知の事前設定登録のフローチャート図である。
【００４５】
異常音監視機能付電話装置２１から、所定の操作例えば登録ボタンを押して自動報知音登録用番号を入力することで、電話装置の自動報知登録モードを設定する（Ｓ５０１）。
【００４６】
異常音監視機能付電話装置２１から自動報知する報知先の例えば警備室３１の番号を入力する（Ｓ５０２）。報知先は外線でも内線でもよく、携帯電話であってもよい。
【００４７】
報知先の例えば警備室３１に通報すべき警告発音を選択して、その番号を入力する（Ｓ５０３）。
【００４８】
選択した警告発音と報知先は、異常音監視機能付電話装置２１の電話装置制御部２４を介して報知実行部２６ａにより報知方法記憶部２６ｂへ登録される。
【００４９】
次に、報知先の例えば警備室３１に送出する報知内容を選択し、その番号を入力する（Ｓ５０４）。報知内容としては、“○○○○番の内線電話機近くの××警報器が鳴動しています”等の固定メッセージ（別途登録）や警報発音を集音してた集音データをそのまま流す方法等がある。報知先と選択した報知内容も、異常音監視機能付電話装置２１から電話装置制御部２４を介して報知実行部２６ａにより報知方法記憶部２６ｂへ登録される。
【００５０】
登録が完了したら、電話装置制御部２４は登録完了をスピーカ２８の確認音等により通知する（Ｓ５０５）。
【００５１】
このことで、異常音監視機能付電話装置２１の報知方法記憶部２６ｂへの自動報知登録を完了する（Ｓ５０６）。
【００５２】
すなわち、報知実行部２６ａは報知方法記憶部２６ｂに、図４に示す（１）警報発音（Ａ〜Ｚ）と、（３）報知先と、（４）報知内容を登録する。
【００５３】
図６は、本発明による異常音監視機能を有する電話装置における異常音監視のフローチャート図である。
【００５４】
異常音監視にあたっては、電話装置制御部２４により、マイク２７をオン状態にしておく。
【００５５】
異常音監視機能付電話装置２１から、所定の操作例えば特殊番号を入力することで、異常音監視機能付電話装置２１の警戒モードを設定する（Ｓ６０１）。
【００５６】
異常音監視機能付電話装置２１は、その設置環境にある各種報知機例えば非常ベル４２からの警報発音をマイク２７で集音し、音処理部２５の音入力処理部２５ａへ入力する（Ｓ６０２）。なお、マイクから一定音圧レベル以上の音を感知した時、集音データを音処理部２５へ送信するようにしてもよい。
【００５７】
音入力処理部２５ａは、入力された警報発音の信号変換したデータを、異常音検知部２５ｃへ送出する（Ｓ６０３）。
【００５８】
異常音検知部２５ｃは、受信したデータと異常音記憶部２５ｂに登録されている異常音データを比較し（Ｓ６０４）、その類似性から警報発音か否か、また警報発音であった場合はその種別（Ａ〜Ｚ）を判定する（Ｓ６０５）。
【００５９】
一致しない場合（Ｓ６０５、Ｎ）はＳ６０２に戻り、一致した場合（Ｓ６０５、Ｙ）は、受信したデータを異常音データと認識し、異常音データが対応する警報発音（Ａ〜Ｚ）を、自動報知部２６の報知実行部２６ａへ送出する（Ｓ６０６）。
【００６０】
報知実行部２６ａは、受信した異常音の情報を報知方法記憶部２６ｂへ登録する（Ｓ６０７）。
【００６１】
また報知処理部２６は、受信した異常音データに対応する報知先、報知内容を、報知方法記憶部２６ｂに登録されている報知先、報知内容のデータから抽出し、電話装置制御部２４へ送出する（Ｓ６０８）。
【００６２】
電話装置制御部２４は、当該報知先の例えば警備室３１または標準の内線端末２０等を呼出して通報する（Ｓ６０９）。なお、通報先が複数の場合は、順次に呼出せばよい。
【００６３】
図７は、本発明による異常音監視機能を有する電話装置２１の第２の機能ブロック図である。図７において、図１，図２と同一個所に同一符号を付けた。
【００６４】
図７において、異常音監視機能付電話装置２１は、ハンズフリー通話や音声モニターモードの際に信号の送受信を行う信号送受部２９を具備し、さらに自動報知部２６に報知先に対応付けた通報情報を記憶した、通報情報記憶部２６ｃを具備する。
【００６５】
異常音監視機能付電話装置２１は異常音監視のとき、電話装置制御部２４により、マイク２７およびスピーカ２８をオン状態にしておく。
【００６６】
また自動報知部２６の報知方法記憶部２６ｂには、自動報知する報知先と、報知する際の通報情報として警報発音または音声メッセージまたは電子メールを対応付けて登録しておく。
【００６７】
図６の異常音監視のフローチャートにより、電話装置制御部２４によりマイク２７をオン状態にすることで、マイク２７で警報発音を集音し、音入力処理部２５ａへ入力する。
【００６８】
Ｓ６０８において、報知実行部２６ａは、さらに、抽出した報知先に対応する報知方法を、通報情報記憶部２６ｃに登録されているデータから抽出し、電話装置制御部２４に送出する。
【００６９】
このことでＳ６０９において、電話装置制御部２４が報知先の例えば警備室３１をハンズフリー機能で呼出して通報する際、通報情報記憶部２６ｃに登録されている通報情報を通報する。
【００７０】
ここで、通報情報が音声メッセージの場合は、音声メッセージを送出し、電話装置制御部２４は、音声メッセージの送出中または送出後に、信号送受部２９を介してマイク２７、スピーカ２８を報知先と接続することで、異常音監視機能付電話装置２１をハンズフリー通話または音声モニターモードとする。
【００７１】
本実施の形態によれば、異常音監視機能付電話装置で直接警報発音を集音するので、センサ機器から直接主装置まで配線を引き回す従来の場合に比べ、工事性が大幅に改善され経済性、保守性に優れる。
【００７２】
また、異常音監視機能付電話装置を複数増設することで検知入力数を増やすことができ、報知器付の外部センサ機器を複数取付けた場合でも、異なる複数の場所にて外部センサ機器からの警報発音を集音することが可能である。
【００７３】
また、スピーカ付の標準の内線端末を複数増設することで報知機器として利用することができ電話システムの内線配線を報知用の配線として利用したことになり、工事性、経済性に優れる。
【００７４】
また、異常音監視機能を有する電話装置を複数独立して設置した場合には、第一の電話装置と第二の電話装置を近接して配置することで、第一の電話装置からの警報発音を第二の電話装置で集音して第二の電話装置の報知機能を起動することができ、集音と報知エリアを拡大することができる。また、第二の電話装置の警報発音を第一の電話装置で集音することも可能なので、集音と報知エリアをさらに拡大することができる。
【図面の簡単な説明】
【００７５】
【図１】本発明による異常音監視機能を有する電話装置の全体構成図である。
【図２】本発明による異常音監視機能を有する電話装置の全体構成図における第１の機能ブロック図である。
【図３】図２の異常音記憶部への異常音の事前設定登録を示すフローチャート図である。
【図４】異常音の登録内容および自動報知の登録内容を示す対応図である。
【図５】図２の報知記憶部への自動報知の事前設定登録のフローチャート図である。
【図６】本発明による異常音監視機能を有する電話装置における異常音監視のフローチャート図である。
【図７】本発明による異常音監視機能を有する電話装置の全体構成図における第２の機能ブロック図である。
【符号の説明】
【００７６】
１０    主装置
１１    内線ＩＦ（インターフェース）部
１２    外線ＩＦ（ネットワーク／回線インターフェース）部
１３    交換ＳＷ（スイッチ）部
１４    制御部
２０    標準の内線端末
２１    異常音監視機能付電話装置
２２    ＮＷＩＦ部
２３    伝送回路
２４    電話装置制御部
２５    音処理部
２５ａ  音入力処理部
２５ｂ  異常音記憶部
２５ｃ  異常音検知部
２６    自動報知部
２６ａ  報知実行部
２６ｂ  報知方法記憶部
２６ｃ  通報情報記憶部
２７    マイク
２８    スピーカ
２９    信号送受部
３０    ネットワーク
３１    警備室
３２    警備会社
３３    管理者宅
４０    火災検知器
４１    侵入センサ
４２    非常ベル
４３    警報スピーカ
【図１】
2008033752.tif 000003
【図２】
2008033752.tif 000004
【図３】
2008033752.tif 000005
【図４】
2008033752.tif 000006
【図５】
2008033752.tif 000007
【図６】
2008033752.tif 000008
【図７】
2008033752.tif 000009